(57)【要約】【課題】カードを忘れたユーザに対して暫定カードを発行する必要なく入退室管理を行うことができるシステムを構成する指紋照合装置を提供する。【解決手段】カードに登録されている登録指紋データとユーザの指から取り込んだ検査指紋データを照合して本人認証を行う指紋照合付カードリーダ装置１と、指紋照合付カードリーダ装置１に設けられ、ユーザ固有のＩＤ番号が入力される入力手段１１と、指紋照合付カードリーダ装置１と別個に構成され、ユーザ毎のＩＤ番号に対応付けられた保存指紋データを予め保存するサーバ５とを備え、指紋照合付カードリーダ装置１は、入力手段１１にＩＤ番号が入力されると、サーバ５にＩＤ番号を通知することにより、ＩＤ番号に対応付けられた保存指紋データをダウンロードして検査指紋データと照合して本人認証を行う構成とした。【選択図】図３
2008287473.tif 000002
【特許請求の範囲】
【請求項１】
カードに登録されている登録指紋データとユーザの指から取り込んだ検査指紋データを照合して本人認証を行う指紋照合付カードリーダ装置と、
前記指紋照合付カードリーダ装置に設けられ、ユーザ固有のＩＤ番号が入力される入力手段と、
前記指紋照合付カードリーダ装置と別個に構成され、前記ユーザ毎のＩＤ番号に対応付けられた保存指紋データを予め保存するサーバと、
を備え、
前記指紋照合付カードリーダ装置は、前記入力手段に前記ＩＤ番号が入力されると、前記サーバに前記ＩＤ番号を通知することにより、前記ＩＤ番号に対応付けられた前記保存指紋データをダウンロードして前記検査指紋データと照合して本人認証を行うことを特徴とする指紋照合装置。
【請求項２】
指紋照合付カードリーダ装置は、複数設けられ、
入力手段は、前記複数の指紋照合付カードリーダ装置毎に複数設けられ、
前記入力手段にＩＤ番号が入力される場合に、前記ＩＤ番号が入力された指紋照合付カードリーダ装置のみに保存指紋データをダウンロードする設定と他の指紋照合付カードリーダ装置にも前記保存指紋データをダウンロードする設定に切り分けが可能なことを特徴とする請求項１記載の指紋照合装置。
【請求項３】
サーバからダウンロードされた保存指紋データの有効時間の設定が可能に構成され、前記有効時間を超えた場合に前記保存指紋データが無効となることを特徴とする請求項１又は請求項２に記載の指紋照合装置。
【請求項４】
サーバは、ユーザ毎に複数本の指の保存指紋データを保存し、
指紋照合付カードリーダ装置は、前記入力手段に前記ＩＤ番号が入力されると、保存指紋データと少なくとも二本の指の検査指紋データと照合して本人認証を行うことを特徴とする請求項１〜請求項３のいずれかに記載の指紋照合装置。
【発明の詳細な説明】
【技術分野】
【０００１】
この発明は、一般の入退室管理システムにおいて利用される指紋照合付カードリーダ装置を用いた指紋照合装置に関するものである。
【背景技術】
【０００２】
従来の指紋照合装置では、ユーザが所持するカードに指紋データが登録されており、指紋照合付カードリーダ装置で登録されている指紋データをカードから読み込み、指紋照合付カードリーダ装置のセンサ部（指置き部）で取り込んだ指紋データとを照合することで本人認証して、扉制御等を行うシステムを構成するものが提案されている。
【０００３】
さらに、利便性向上のため、カードから読み込んだ指紋データを指紋照合付カードリーダ装置内のメモリに一時記憶して、その後はユーザ固有のＩＤ番号を入力することで一時記憶された指紋データとセンサ部で取り込んだ指紋データとを照合する指紋照合付カードリーダ装置を用いた指紋照合装置も提案されている（例えば、特許文献１参照）。
【０００４】
【特許文献１】特開２００３−３４６０９９号公報
【発明の開示】
【発明が解決しようとする課題】
【０００５】
しかし、従来の指紋照合装置では、カードを忘れたユーザは、扉制御を行うことができなかった。また、カードを忘れたユーザのために、暫定カードを発行するなど手間が増え、管理が複雑になっていた。
【０００６】
特許文献１記載のものも、メモリに指紋データが一時記憶されていない場合は、上記同様、手間が増え、管理が複雑になることには変わりがない。また、指紋データが一時記憶される指紋照合付カードリーダ装置はカード操作された端末のみになるため、他の指紋照合付カードリーダ装置で本人認証を行う場合は、再度カードから指紋データを読み込ませる必要があるという煩わしさがあった。
【０００７】
この発明は、上述のような課題を解決するためになされたもので、その目的は、カードを忘れたユーザに対して暫定カードを発行する必要なく入退室管理を行うことができるシステムを構成する指紋照合装置を提供することである。
【課題を解決するための手段】
【０００８】
この発明に係る指紋照合装置は、カードに登録されている登録指紋データとユーザの指から取り込んだ検査指紋データを照合して本人認証を行う指紋照合付カードリーダ装置と、前記指紋照合付カードリーダ装置に設けられ、ユーザ固有のＩＤ番号が入力される入力手段と、前記指紋照合付カードリーダ装置と別個に構成され、前記ユーザ毎のＩＤ番号に対応付けられた保存指紋データを予め保存するサーバとを備え、前記指紋照合付カードリーダ装置は、前記入力手段に前記ＩＤ番号が入力されると、前記サーバに前記ＩＤ番号を通知することにより、前記ＩＤ番号に対応付けられた前記保存指紋データをダウンロードして前記検査指紋データと照合して本人認証を行う構成としたものである。
【発明の効果】
【０００９】
この発明は、カードに登録されている登録指紋データとユーザの指から取り込んだ検査指紋データを照合して本人認証を行う指紋照合付カードリーダ装置と、前記指紋照合付カードリーダ装置に設けられ、ユーザ固有のＩＤ番号が入力される入力手段と、前記指紋照合付カードリーダ装置と別個に構成され、前記ユーザ毎のＩＤ番号に対応付けられた保存指紋データを予め保存するサーバとを備え、前記指紋照合付カードリーダ装置は、前記入力手段に前記ＩＤ番号が入力されると、前記サーバに前記ＩＤ番号を通知することにより、前記ＩＤ番号に対応付けられた前記保存指紋データをダウンロードして前記検査指紋データと照合して本人認証を行う構成としたことで、カードを忘れたユーザに対して暫定カードを発行する必要なく入退室管理を行うことができるシステムを構成する指紋照合装置を提供することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１における指紋照合装置の概略システム構成図、図２はこの発明の実施の形態１における指紋照合装置に用いる指紋照合付カードリーダ装置の外観図、図３はこの発明の実施の形態１における指紋照合装置の概略ブロック図、図４はこの発明の実施の形態１における指紋照合装置の動作を説明するためのフローチャートである。
【００１２】
図において、１は複数の部屋の扉毎の電気錠２に対応して設けられる複数の指紋照合付カードリーダ装置であって、カード３に登録されている登録指紋データとユーザの指から取り込んだ検査指紋データを照合して本人認証を行うものである。４は、例えば、建築物の各階毎等の一定条件下でグループ分けされた指紋照合付カードリーダ装置１をまとめて制御する複数の電気錠制御ユニットである。５は指紋照合付カードリーダ装置１及び電気錠制御ユニット４とは別個に構成され、指紋照合付カードリーダ装置１及び電気錠制御ユニット４等のシステム全体の管理を行うサーバある。これらにより、指紋照合装置が構成され、入退室管理を行うシステムとして機能している。
【００１３】
次に、図３により、指紋照合付カードリーダ装置１をより詳細に説明する。図３は、模式的に一の指紋照合付カードリーダ装置１のみが電気錠制御ユニット４を介してサーバ５に接続されている状態を示している。指紋照合付カードリーダ装置１は、カード読み取り部６、操作ガイダンス部７、指置き部８、指紋照合部９、バックアップメモリ１０から構成されている。通常時において、カード読み取り部６は、ユーザによってかざされたカード３に登録されている登録指紋データを読み取り、指紋照合部９へ出力する。カード読み取り部６により登録指紋データが読み取られると、操作ガイダンス部７が動作を開始してユーザに対して指置き部８に指を置くガイダンスを表示する。指置き部８は、ユーザの指が置かれると、ユーザの指から検査指紋データを取り込んで指紋照合部９へ出力する。指紋照合部９は、登録指紋データと検査指紋データが入力されると、これらを照合して本人認証を行う。指紋照合付カードリーダ装置１は、認証結果に基づいて認証ＯＫ処理（例えば、電気錠２の解錠等）又は認証ＮＧ処理（例えば、操作ガイダンス部７での警告等）を行う。
【００１４】
一方、ユーザがカード３を忘れた場合は、操作ガイダンス部７のタッチパネルで構成される入力手段１１からユーザによってユーザ固有のＩＤ番号が入力される。この場合、通常の運用と異なる操作となるため、特定ファンクションキーの押下とともにＩＤ番号を入力することを条件としてもよい。入力されたＩＤ番号は、指紋照合付カードリーダ装置１から電気錠制御ユニット４を経由して、サーバ５に通知される。サーバ５は、全てのユーザの保存指紋データをユーザ毎のＩＤ番号に対応付けて管理して予め保存しており、指定されたＩＤ番号の保存指紋データを電気錠制御ユニット４を経由して、ＩＤ番号が入力された指紋照合付カードリーダ装置１にダウンロードする。
【００１５】
指紋照合付カードリーダ装置１は、ダウンロードされた保存指紋データをバックアップメモリ１０に記憶した後、指紋照合部９へ出力する。そして、操作ガイダンス部７が、ユーザに対して指置き部８に指を置くガイダンスを表示する。指置き部８は、ユーザの指が置かれると、ユーザの指から検査指紋データを取り込んで指紋照合部９へ出力する。指紋照合部９は、保存指紋データと検査指紋データが入力されると、これらを照合して本人認証を行う。指紋照合付カードリーダ装置１は、認証結果に基づいて認証ＯＫ処理又は認証ＮＧ処理を行う。なお、一度、ダウンロード処理を行った指紋照合付カードリーダ装置１には、バックアップメモリ１０に先に入力手段１１により入力された指定ＩＤ番号に対応した保存指紋データが記憶されているため、再度ダウンロードを行わずに本人認証が行なわれる。
【００１６】
即ち、指紋照合付カード装置１は、カード３に登録されている登録指紋データとユーザの指から取り込んだ検査指紋データを照合して本人認証を行う一般的な機能を備えている。また、これに加え、サーバ５が全てのユーザの保存指紋データを別途管理している。そして、指紋照合付カードリーダ装置１毎に設けられた入力手段１１にユーザ固有のＩＤ番号が入力されると、サーバ５にＩＤ番号を通知することにより、このＩＤ番号に対応付けられた保存指紋データをダウンロードして検査指紋データと照合して本人認証を行うこともできるようになっている。
【００１７】
次に、図４を用いて、ユーザがカード３を忘れた場合の指紋照合装置の動作を説明する。指紋照合付カードリーダ装置１は、入力手段１１にＩＤ番号が入力されると（ステップＳ１）、入力されたＩＤ番号に対応付けられた保存指紋データが内部のバックアップメモリ１０に記憶されているかを判断する（ステップＳ２）。そして、バックアップメモリ１０に入力されたＩＤ番号に対応付けられた保存指紋データが記憶されていない場合は、サーバ５に保存指紋データのダウンロード要求が通知される（ステップＳ３）。その後、サーバ５から保存指紋データがダウンロードされるのを待ち（ステップＳ４）、ダウンロードされてきた保存指紋データをバックアップメモリ１０に記憶する（ステップＳ５）。
【００１８】
その後、操作ガイダンス部７に指置きガイダンスが表示され（ステップＳ６）、指置き部８に指が置かれるのを待つ（ステップＳ７）。指置き部８に指が置かれたことが検出された場合は、指紋照合部９が、ダウンロードされた保存指紋データと指置き部８で取り込んだ検査指紋データが比較照合し（ステップＳ８）、本人認証を行う。そして、認証結果を判定して（ステップＳ９）、認証ＯＫであれば認証ＯＫ処理を行い（ステップＳ１０）、認証ＮＧであれば認証ＮＧ処理を行う（ステップＳ１１）。また、２回目以降の操作では、ＩＤ番号の入力後（ステップＳ１）、記憶済み判断（ステップＳ２）で記憶済みとなるため、サーバ５にダウンロード要求が通知されることなく、指置きガイダンスが表示される（ステップＳ６）。その後のステップＳ７以降の動作は、上述した通りである。
【００１９】
以上で説明した実施の形態１によれば、ＩＤ番号を入力することにより本人認証を行うことができる。これにより、カード３を忘れたユーザに対して暫定カードを発行する等の手間、時間を省略でき、指紋のみの運用で電気錠２の制御を行うことができる。また、サーバ５からダウンロードされた保存指紋データはバックアップメモリ１０に記憶されるため、２回目以降の本人認証のための照合動作への移行応答速度を向上することができる。さらに、ユーザ固有のＩＤ番号に対応付けられた保存指紋データはサーバ５のみでの管理でよいため、ユーザ変更の更新作業時の煩わしさもほとんどない。なお、実施の形態１では、保存指紋データはサーバ５で管理して、指紋照合付カードリーダ装置１にダウンロードする構成であったが、電気錠制御ユニット４で保存指紋データが管理されていても同様の効果を得ることができるのはいうまでもない。
【００２０】
実施の形態２．
図示しないが、以下、実施の形態２について説明する。なお、実施の形態１と同一又は相当部分には同一符号を付して説明を省略する。
【００２１】
実施の形態２では、実施の形態１の構成に加え、サーバ５に保存指紋データのダウンロード先に関する各種パラメータを設定できる構成とした。即ち、サーバ５には、保存指紋データのダウンロード要求を通知した指紋照合付カードリーダ装置１のみに保存指紋データをダウンロードする設定と接続されている他の全ての指紋照合付カードリーダ装置１にもダウンロードする設定に切り分けが可能な構成となっている。さらに、指紋照合付カードリーダ装置１毎にも保存指紋データのダウンロードの許可又は不許可を決める別のパラメータが設定されている。
【００２２】
この場合、特定の指紋照合付カードリーダ装置１から保存データのダウンロード要求があると、この指紋照合付カードリーダ装置１でユーザの本人認証が行われる。そして、認証ＯＫであれば、認証ＯＫの結果がサーバ５に通知される。サーバ５は、認証ＯＫの結果を受けて、各種パラメータの設定に応じて決定される他の指紋照合付カードリーダ装置１にそのユーザのＩＤ番号に対応付けられた保存指紋データをダウンロードする。
【００２３】
以上で説明した実施の形態２によれば、サーバ５に保存指紋データのダウンロード先に関する各種パラメータを設定できる構成としたため、セキュリティ性を重視する運用と操作性を重視する運用を切り分けることができる指紋照合装置が実現される。これにより、重要設備には入室できない等の制限を設けることができ、ユーザニーズに沿ったきめ細かい運用が可能な指紋照合装置が実現される。また、ある特定の指紋照合付カードリーダ装置１でダウンロード要求をすれば、同時に他の指紋照合付カードリーダ装置１にもダウンロードすることが可能となるため、他の部屋へ入室する際に、本人認証のための照合動作への移行応答速度を向上することができる。
【００２４】
実施の形態３．
図示しないが、以下、実施の形態３について説明する。なお、実施の形態１と同一又は相当部分には同一符号を付して説明を省略する。
【００２５】
実施の形態３では、実施の形態１の構成に加え、サーバ５にダウンロードした保存指紋データの有効時間が設定できる構成となっている。有効時間の設定データとしては、指紋照合付カードリーダ装置１へのダウンロード完了後からの有効期間（例えば、ダウンロード後８時間有効等）と有効時刻（例えば、１８：００まで有効等）の両方又は一方を設定、選択できるようになっている。即ち、サーバ５は、有効期間又は有効時刻を超えた時点でＩＤ番号を指定して各指紋照合付カードリーダ装置１にこの指定ＩＤ番号に対応付けられた保存指紋データの削除指示を送信する。削除指示を受けた各指紋照合付カードリーダ装置１は、該当する保存指紋データをバックアップメモリ１０から削除する。
【００２６】
以上で説明した実施の形態３によれば、サーバ５にダウンロードした保存指紋データの有効時間が設定できる構成としたため、不要に各指紋照合付カードリーダ装置１内に保存指紋データが残ることを抑止し、セキュリティ性を維持した運用ができる指紋照合装置が実現される。
【００２７】
実施の形態４．
図示しないが、以下、実施の形態４について説明する。なお、実施の形態１と同一又は相当部分には同一符号を付して説明を省略する。
【００２８】
実施の形態１では、指紋照合装置は、登録指紋データ及び保存指紋データとも、ユーザ毎に一本分の指の指紋データで運用されていた。一方、実施の形態４では、登録指紋データ及び保存指紋データとも、ユーザ毎に二本分の指の指紋データで運用されている。ここで、指紋照合部９は、検査指紋データが登録指紋データのいずれか一方で認証ＯＫとなれば本人と判断する。一方、検査指紋データと保存指紋データを照合する際は、二本分の指紋データの双方が認証ＯＫとなった場合のみに本人と判断する。
【００２９】
以上で説明した実施の形態４によれば、検査指紋データと保存指紋データを照合する際は、二本分の指紋データの双方が認証ＯＫとなった場合のみに本人と判断するため、カード３を持たない人の照合でも、セキュリティ性の低下を防止できる。なお、サーバ５はユーザ毎に複数本の指の保存指紋データを保存し、指紋照合付カードリーダ装置１は入力手段１１にＩＤ番号が入力されると、保存指紋データと少なくとも二本の指の検査指紋データと照合して本人認証を行う構成にすれば、よりセキュリティ性が向上するのはいうまでもない。さらに、各指紋照合付カードリーダ装置１毎にパラメータを設定して、一本分の指紋データで照合して認証ＯＫ処理をする設定と二本分の指紋データで照合して認証ＯＫ処理をする設定を切り替え可能に構成することもできる。これにより、高度なセキュリティ性を持ち、各状況に対応したセキュリティ性を考慮したきめ細かい運用ができる指紋照合装置が実現される。
【図面の簡単な説明】
【００３０】
【図１】この発明の実施の形態１における指紋照合装置の概略システム構成図である。
【図２】この発明の実施の形態１における指紋照合装置に用いる指紋照合付カードリーダ装置の外観図である。
【図３】この発明の実施の形態１における指紋照合装置の概略ブロック図である。
【図４】この発明の実施の形態１における指紋照合付装置の動作を説明するためのフローチャートである。
【符号の説明】
【００３１】
１  指紋照合付カードリーダ装置
２  電気錠
３  カード
４  電気錠制御ユニット
５  サーバ
６  カード読み取り部
７  操作ガイダンス部
８  指置き部
９  指紋照合部
１０  バックアップメモリ
１１  入力手段
【図１】
2008287473.tif 000003
【図２】
2008287473.tif 000004
【図３】
2008287473.tif 000005
【図４】
2008287473.tif 000006